(57)【特許請求の範囲】
【請求項１】
プリント基板が備える外部接続部と、外部の導電部材と、を互いに電気的に接続するプリント基板の電気的接続方法において、
前記導電部材には、
該導電部材を前記プリント基板の外部接続部に電気的に接続するために該導電部材の本体部より突出した接続片を設け、
前記接続片にスリットを設けることにより該接続片を複数の分割部分に分割し、各分割部分毎に前記プリント基板の外部接続部に固着により電気的に接続される舌片を設け、
前記プリント基板には、
前記複数の分割部分の舌片とそれぞれ対応する複数の外部接続部を互いに隣り合う状態に設け、
前記プリント基板の複数の外部接続部に、それぞれ対応する舌片を固着により電気的に独立した状態で接続することにより、前記接続片を介して前記プリント基板の各外部接続部と前記導電部材とを互いに電気的に接続することを特徴とするプリント基板の電気的接続方法。
【請求項２】
前記導電部材の一部を該導電部材の本体部より突出するように同一の曲げ工程で折り曲げ形成して前記複数の分割部分を一度に設けることを特徴とする請求項１に記載のプリント基板の電気的接続方法。
【請求項３】
前記複数の外部接続部には、大きな電流の流れるパターン配線が接続される大電流用外部接続部と、小さな電流の流れるパターン配線が接続される小電流用外部接続部とが含まれていることを特徴とする請求項１又は請求項２に記載のプリント基板の電気的接続方法。
【請求項４】
前記接続片を介して前記プリント基板の各外部接続部と前記導電部材とを互いに電気的に接続することにより、前記プリント基板を前記導電部材にアース接続することを特徴とする請求項１〜請求項３のいずれか一項に記載のプリント基板の電気的接続方法。
【請求項５】
請求項１〜請求項４のいずれか一項に記載のプリント基板の電気的接続方法に用いる接続片であって、
スリットが設けられることにより複数の分割部分に分割され、各分割部分毎にプリント基板の外部接続部に固着により電気的に独立した状態で接続される舌片が設けられていることを特徴とする接続片。
【発明の詳細な説明】
【０００１】
【発明の属する技術分野】
本発明は、プリント基板の電気的接続方法及び接続片に関する。
【０００２】
【従来の技術】
従来、例えばアース接続のように、プリント基板の外部接続部とその他の導電部材とを電気的に接続する方法がある。
図３にアース接続の一例を示す。プリント基板４１にはアース接続部（外部接続部）４２が設けられている。このアース接続部４２にはプリント基板４１上のアースパターン（パターン配線）４４が複数接続されている。さらに、アース接続部４２には該プリント基板４１を表裏に貫通した貫通穴４３が設けられている。また、プリント基板４１の外部の導電部材、例えばシャーシ３１には、該シャーシ３１の本体部３１ａより突出するように折り曲げ形成された接続片３２が設けられている。この接続片３２には、アース接続部４２に係止される舌片３４と、この舌片３４と対をなし、該舌片３４とアース接続部４２に対し位置決めするための位置決め用突出片３５とが、プリント基板４１と接続する側から突出した状態に設けられている。このうち舌片３４は略Ｌ字状に形成され、位置決め用突出片３５は直線状に形成されている。
プリント基板４１とシャーシ３１とをアース接続する場合には、舌片３４と位置決め用突出片３５とを、各々の先端部がプリント基板４１の裏側に突出するまで貫通穴４３に差し込む。そして舌片３４の先端部を曲げて貫通穴４３の縁に係止して、舌片３４と位置決め用突出片３５とをそれぞれアース接続部４２にハンダ４５で固定して電気的に接続することで、プリント基板４１とシャーシ３１とをアース接続する。
【０００３】
【発明が解決しようとする課題】
しかし、アース接続部４２に向かって多くのアースパターン４４が集中する場合には、各アースパターン４４を各々独立に電気伝導可能な経路でアース接続部４２に至らしめることが困難になるという問題点がある。
また、各アースパターン４４を各々独立に電気伝導可能な経路でアース接続部４２に至らしめることができた場合でも、例えば、舌片３４自身の電気抵抗が各アースパターン４４から流れてくる電流に対して共通抵抗となり、大電流が流れるアースパターン４４から小電流が流れるアースパターン４４に影響を与えてしまうことがある（例えば、大電流が流れるアースパターン４４から小電流が流れるアースパターン４４に電流が流れ込む）という問題点もある。
【０００４】
本発明の課題は、多くのパターン配線が集中する場合にも、外部接続と導電部材とを好適に電気的に接続するプリント基板の電気的接続方法及び接続片を提供することを目的とする。
【０００５】
【課題を解決するための手段】
上記課題を解決するため、請求項１記載の発明は、
プリント基板が備える外部接続部と、外部の導電部材と、を互いに電気的に接続するプリント基板の電気的接続方法において、
前記導電部材には、
該導電部材を前記プリント基板の外部接続部に電気的に接続するために該導電部材の本体部より突出した接続片を設け、
前記接続片にスリットを設けることにより該接続片を複数の分割部分に分割し、各分割部分毎に前記プリント基板の外部接続部に固着により電気的に接続される舌片を設け、
前記プリント基板には、
前記複数の分割部分の舌片とそれぞれ対応する複数の外部接続部を互いに隣り合う状態に設け、
前記プリント基板の複数の外部接続部に、それぞれ対応する舌片を固着により電気的に独立した状態で接続することにより、前記接続片を介して前記プリント基板の各外部接続部と前記導電部材とを互いに電気的に接続することを特徴とする。
【０００６】
請求項２記載の発明は、請求項１に記載のプリント基板の電気的接続方法であって、前記導電部材の一部を該導電部材の本体部より突出するように同一の曲げ工程で折り曲げ形成して前記複数の分割部分を一度に設けることを特徴とする。
【０００７】
請求項３記載の発明は、請求項１又は請求項２に記載のプリント基板の電気的接続方法であって、前記複数の外部接続部には、大きな電流の流れるパターン配線が接続される大電流用外部接続部と、小さな電流の流れるパターン配線が接続される小電流用外部接続部とが含まれていることを特徴とする。
【０００８】
請求項４記載の発明は、請求項１〜請求項３のいずれか一項に記載のプリント基板の電気的接続方法であって、前記接続片を介して前記プリント基板の各外部接続部と前記導電部材とを互いに電気的に接続することにより、前記プリント基板を前記導電部材にアース接続することを特徴とする。
【０００９】
請求項５記載の発明は、請求項１〜請求項４のいずれか一項に記載のプリント基板の電気的接続方法に用いる接続片であって、
スリットが設けられることにより複数の分割部分に分割され、各分割部分毎にプリント基板の外部接続部に固着により電気的に独立した状態で接続される舌片が設けられていることを特徴とする。
【００１１】
【発明の実施の形態】
以下、図面を参照して、本発明の実施の形態について詳細に説明する。
【００１２】
この実施の形態は、本発明のプリント基板の電気的接続方法の適例としてのプリント基板のアース接続方法及びこれに用いる接続片について説明を行うものである。
図１に示すように、プリント基板１１には、複数のパターン配線を介して相互に接続された複数の部品（図示省略、例えば、抵抗、コンデンサ、トランジスタ等）が複数設けられている。さらにプリント基板１１には、これら複数の部品を複数のアースパターン（パターン配線）１４を介して外部の導電部材と電気的に接続するための複数の外部接続部（本実施例では、アース接続部１２ａとアース接続部１２ｂ）が設けられている。
【００１３】
導電部材、例えばシャーシ１には、該シャーシ１をプリント基板１１に電気的に接続するために該シャーシ１の本体部１ａより突出した状態に接続片２が設けられている。
さらにこの接続片２には、例えば略Ｌ字状に形成され、プリント基板１１のアース接続部１２ａ、１２ｂに対しそれぞれ固着により電気的に接続される複数の舌片４ａ、４ｂが設けられている。ここで、舌片４ａの近傍には該舌片４ａをプリント基板１１のアース接続部１２ａに位置決めするための位置決め用突出片５ａが、舌片４ｂの近傍には該舌片４ｂをプリント基板１１のアース接続部１２ｂに位置決めするための位置決め用突出片５ｂが、それぞれ設けられている。なお、これら位置決め用突出片５ａ、５ｂは、例えばそれぞれ直線状に形成されている。
他方プリント基板１１には、アース接続部１２ａとアース接続部１２ｂとが互いに隣り合う状態に設けられている。アース接続部１２ａ、１２ｂには、プリント基板１１を表裏に貫通した貫通穴１３ａ、１３ｂが設けられている。また、例えば、アース接続部（大電流用外部接続部）１２ａには大電流が流れる複数のアースパターン１４が、アース接続部（小電流用外部接続部）１２ｂには小電流が流れる複数のアースパターン１４がそれぞれ接続されている。
【００１４】
接続片２のプリント基板１１のアース接続部１２ａ、１２ｂへの接続は以下のようにして行う。
先ず、アース接続部１２ａの貫通穴１３ａには舌片４ａ及び位置決め用突出片５ａを、また、アース接続部１２ｂの貫通穴１３ｂには舌片４ｂ及び位置決め用突出片５ｂを、各々の先端部がプリント基板１１の裏側から突出するまで差し込む。そして、舌片４ａと舌片４ｂのうち少なくとも何れか一方、例えば舌片４ａの先端部を曲げて貫通穴１３ａの縁に係止する。さらに、舌片４ａ及び位置決め用突出片５ａをアース接続部１２ａに、また、舌片４ｂ及び位置決め用突出片５ｂをアース接続部１２ｂに、それぞれハンダ付けして固着し電気的に接続することにより、接続片２を介してプリント基板１１のアース接続部１２ａ、１２ｂとシャーシ１とが互いに電気的に接続される。
【００１５】
この実施の形態のプリント基板１１の電気的接続方法及び接続片２によれば、アース接続部１２ａ、１２ｂに対して、アース接続部１２ａには舌片４ａと位置決め用突出片５ａを、アース接続部１２ｂには舌片４ｂと位置決め用突出片５ｂを、それぞれ固着し電気的に接続して、プリント基板１１のアース接続を行うので、複数のアースパターン１４を各々独立に電気伝導可能な経路でアース接続部１２ａとアース接続部１２ｂのいずれか対応する外部接続部に至らしめることができる。また、複数のアースパターン１４を、大電流の流れるアースパターン１４と、小電流の流れるアースパターン１４とに区別して、アース接続部１２ａとアース接続部１２ｂいずれか対応する外部接続部に接続させることができる。よって、多くのアースパターン１４が集中する場合にも、アース接続部１２ａ、１２ｂと、シャーシ１とを好適に電気的に接続することができる。
【００１６】
また、アース接続部１２ａは、大きな電流の流れる複数のアースパターン１４が接続される大電流用外部接続部に、アース接続部１２ｂは、小さな電流の流れる複数のアースパターン１４が接続される小電流用外部接続部に、それぞれ設定したので、アース接続部１２ａ、１２ｂにアース接続された、舌片４ａ、４ｂと、位置決め用突出片５ａ、５ｂの、各々の電気抵抗による影響（例えば、大電流の流れるアースパターン１４から小電流の流れるアースパターン１４に電流が流れ込むこと等）をより一層受け難くなる。
また、プリント基板１１と接続片２との相互の固定箇所が、例えば図３に示す従来例の１箇所から、２箇所に増えるので、プリント基板１１と接続片２との間の固定強度がより一層向上する。
【００１７】
なお、本実施例のように、舌片４ａと舌片４ｂのうち、少なくとも何れか一方の先端部だけを曲げて貫通穴１３ａまたは貫通穴１３ｂの対応する方の縁に係止する場合には、例えば図３に示す従来例と変わらず、舌片４ａ或いは舌片４ｂの先端部を曲げる作業が１回で済むことになる。この場合には、舌片４ａと舌片４ｂのうち先端部を曲げない方の形状は略Ｌ字状に形成されている必要はなく、他の形状、例えば直線状に形成されていても良い。また、上記の例に限らず、舌片４ａと舌片４ｂの両方の先端部を曲げて貫通穴１３ａまたは貫通穴１３ｂの対応する方の縁に係止した場合には、プリント基板１１と接続片２との固定強度がさらに向上する。
また、本実施例のアース接続に限らず、例えばプリント基板１１と電源供給のための接続方法等、他の電気的接続方法に適用しても良い。
【００１８】
＜変形例＞
この変形例では、接続片を複数の分割部分に分割し、該複数の分割部分毎に舌片を設けた場合について説明する。
詳細には、図２に示すように、接続片２２には、スリット２３が形成され、これにより該接続片２２は複数の分割部分２２ａ、２２ｂに分割されている。このうち分割部分２２ａには、アース接続部１２ａに電気的に接続するための、舌片２４ａと位置決め用突出片２５ａが設けられ、分割部分２２ｂには、アース接続部１２ｂに電気的に接続するための、舌片２４ｂと位置決め用突出片２５ｂが設けられている。分割部分２２ａと分割部分２２ｂは、シャーシ２１の一部を該シャーシ２１の本体部２１ａより突出するように同一の曲げ工程で折り曲げ形成して一度に設けられる。
そして、分割部分２２ａの舌片２４ａ及び位置決め用突出片２５ａをアース接続部１２ａに接続する一方で、分割部分２２ｂの舌片２４ｂ及び位置決め用突出片２５ｂをアース接続部１２ｂに接続する。
従って、分割部分２２ａ、２２ｂどうしでは互いに電気的に独立した状態でプリント基板１１のアース接続部１２ａ、１２ｂとシャーシ２１の本体部２１ａとの間で電気伝導可能とすることができる。
【００１９】
この変形例の場合には、接続片２２を分割して分割部分２２ａと分割部分２２ｂを設けるとともに、分割部分２２ａと分割部分２２ｂの各々に、舌片２４と位置決め用突出片２５とを設けたので、舌片２４、２４と位置決め用突出片２５、２５の各々の電気抵抗による影響をより一層受け難くなる。
また、シャーシ２１の一部を該シャーシ２１の本体部２１ａより突出するように同一の曲げ工程で折り曲げ形成して、分割部分２２ａと分割部分２２ｂとを、新たな曲げ工程を追加することなく、一度に設けることができる。
なお、分割部分２２ａと分割部分２２ｂは接続片２２とシャーシ２１との接続部分から分割して設けるとしたが、これに限らず、例えば分割部分２２ａと分割部分２２ｂとを途中で一体にさせてからシャーシ２１と接続するようにしても良い。
【００２０】
【発明の効果】
本発明によれば、複数のパターン配線の配線経路を独立させて複数の外部接続部に接続させることができるとともに、パターン配線の種類を区別して、複数のパターン配線を複数の外部接続部に接続させることができる。よって、多くのパターン配線が集中する場合にも、外部接続と導電部材とを好適に電気的に接続することができる。
【図面の簡単な説明】
【図１】本発明に係る実施の形態のプリント基板の電気的接続方法及び接続片を説明するための図である。
【図２】接続片を、複数の分割部分に分割し、該複数の分割部分毎に舌片を設けた例を示す図である。
【図３】従来のプリント基板の電気的接続方法及び接続片を説明するための図である。
【符号の説明】
１、２１      シャーシ（導電部材）
１ａ、２１ａ      本体部
２、２２      接続片
４ａ、４ｂ、２４ａ、２４ｂ      舌片
１１      プリント基板
１２      アース接続部（外部接続部）
１４      アースパターン（パターン配線）
２２ａ、２２ｂ      分割部分
２３      スリット
【図１】
0003842615.tif 000002
【図２】
0003842615.tif 000003
【図３】
0003842615.tif 000004